(57)【要約】【課題】製紙機の稼働状況を遠隔監視することができ、製紙機の管理者が作動エラーの発生を速やかに知り得ることで、製紙機の運転を速やかに再開することができる製紙システムを提供する。【解決手段】製紙機１と、製紙機１の稼働状況を管理する管理サーバー５１と、製紙機１と一体的にまたは独立して設けられ、製紙機の稼働状況に基づく稼働データを管理サーバーに送信する稼動状況送信部７２３とを備え、管理サーバー５１は、稼働状況送信部７２３から受信した稼働データを記憶する稼動状況記憶部５１２と、稼動状況記憶部５１２に記憶した稼働データに基づく製紙機関連情報を利用者端末に送信する製紙情報送信部５１３と、管理サーバー５１の作動を制御する制御部５１１とを備える。【選択図】図１
2019065408.tif 000002
【特許請求の範囲】
【請求項１】
製紙機と、製紙機の稼働状況を管理する管理サーバーと、製紙機と一体的にまたは独立して設けられ、製紙機の稼働状況に基づく稼働データを管理サーバーに送信する稼動状況送信手段とを備え、
管理サーバーは、稼働状況送信手段から受信した稼働データを記憶する稼動状況記憶部と、稼動状況記憶部に記憶した稼働データに基づく製紙機関連情報を利用者端末に送信する製紙情報送信手段と、管理サーバーの作動を制御する制御部とを備えることを特徴とする製紙システム。
【請求項２】
制御部は、受信した稼働データに製紙機の各種のエラー情報が含まれる場合に、製紙情報送信手段を制御し、少なくとも受信したエラー情報に対応する製紙関連情報を利用者端末に送信することを特徴とする請求項１に記載の製紙システム。
【請求項３】
管理サーバーは、利用者端末からのコマンドを受信するコマンド受信手段と、稼働状況記憶部に記憶された稼働データを読出し、読み出した稼働データを所定の形態に編集して編集情報を生成する編集情報生成手段と、
制御部は、編集情報生成手段に、受信したコマンドに応じた編集情報を生成させ、編集情報生成手段で生成された編集情報を利用者端末に送信することを特徴とする請求項１または２に記載の製紙システム。
【請求項４】
製紙機または稼働状況送信手段に設けられ、管理サーバーに送信する稼動データを暗号化する暗号化手段と、管理サーバーに設けられ、受信した稼働データを復号化する復号化手段とを備えることを特徴とする請求項１から３の何れか１項に記載の製紙システム。
【請求項５】
製紙機は、内部時計を備え、管理サーバーに設けられる基準時計の時刻を受信することにより内部時計の時刻を補正することを特徴とする請求項１から４の何れか１項に記載の製紙システム。
【発明の詳細な説明】
【技術分野】
【０００１】
本発明は、製紙システムに係り、製紙機の稼働状況等を遠隔監視する技術に関する。
【背景技術】
【０００２】
従来の製紙機としては、例えば特許文献１に記載するものがある。これは古紙処理装置にかかるものであり、古紙の裁断紙片を離解して再生パルプを調製する再生パルプ部と、再生パルプを漂白して脱墨パルプを調製する脱墨パルプ部と、脱墨パルプを抄紙して再生紙を調製する抄紙部と、各部の運転を制御する制御部を備えている。
【０００３】
制御部は、稼動開始から稼動停止までの運転プロセスを逐次実行する自動運転制御機能部と、稼動開始と稼動停止の少なくとも何れか一方のタイミングを自動運転制御機能部へ指示信号として入力するタイミング入力部とを有している。
【０００４】
タイミング入力部は、制御部の内部に配設する内部時計が予定時刻に達したときに発する指示信号、または制御部の外部に配設する外部時計が予定時刻に達したときに発する指示信号を自動運転制御機能部へ入力する。
【先行技術文献】
【特許文献】
【０００５】
【特許文献１】特開２００９−２９９２２９
【発明の概要】
【発明が解決しようとする課題】
【０００６】
上記のように、従来の製紙機の自動運転では、所定の時間に運転を開始し、所定時間運転した後に停止し、製紙機の稼働中において作動エラーが発生すると製紙機が自動的に停止する。また、製紙機の手動運転では、ユーザーが任意の時間に運転を開始し、任意の時間に運転を停止する。
【０００７】
しかし、製紙機の稼働中において、常にユーザーが製紙機の稼働状態を確認していることはないので、エラー発生してもしばらくの間は製紙機が停止する状態に放置されるなど、製紙機の稼働率を下げる要因となっていた。
【０００８】
また、ユーザーは製紙機の稼働状況に応じた統計的な数値などを容易に把握することを望んでいる。
【０００９】
本発明は上記した課題を解決するものであり、製紙機の稼働状況を遠隔監視することができ、製紙機の管理者が作動エラーの発生を速やかに知り得ることで、製紙機の運転を速やかに再開することができる製紙システムを提供することを目的とする
【課題を解決するための手段】
【００１０】
上記課題を解決するために、本発明に係る製紙システムは、製紙機と、製紙機の稼働状況を管理する管理サーバーと、製紙機と一体的にまたは独立して設けられ、製紙機の稼働状況に基づく稼働データを管理サーバーに送信する稼動状況送信手段とを備え、管理サーバーは、稼働状況送信手段から受信した稼働データを記憶する稼動状況記憶部と、稼動状況記憶部に記憶した稼働データに基づく製紙機関連情報を利用者端末に送信する製紙情報送信手段と、管理サーバーの作動を制御する制御部とを備えることを特徴とする。
【００１１】
本発明に係る製紙システムにおいて、制御部は、受信した稼働データに製紙機の各種のエラー情報が含まれる場合に、製紙情報送信手段を制御し、少なくとも受信したエラー情報に対応する製紙関連情報を利用者端末に送信することを特徴とする。
【００１２】
本発明に係る製紙システムにおいて、管理サーバーは、利用者端末からのコマンドを受信するコマンド受信手段と、稼働状況記憶部に記憶された稼働データを読出し、読み出した稼働データを所定の形態に編集して編集情報を生成する編集情報生成手段と、制御部は、編集情報生成手段に、受信したコマンドに応じた編集情報を生成させ、編集情報生成手段で生成された編集情報を利用者端末に送信することを特徴とする。
【００１３】
本発明に係る製紙システムにおいて、製紙機または稼働状況送信手段に設けられ、管理サーバーに送信する稼動データを暗号化する暗号化手段と、管理サーバーに設けられ、受信した稼働データを復号化する復号化手段とを備えることを特徴とする。
【００１４】
本発明に係る製紙システムにおいて、製紙機は、内部時計を備え、管理サーバーに設けられる基準時計の時刻を受信することにより内部時計の時刻を補正することを特徴とする。
【発明の効果】
【００１５】
以上のように、本発明によれば、製紙機の稼働状況を必要に応じて利用者端末に送信することができ、製紙機の稼働状況を遠隔監視することができる。また、製紙機に作動エラーが発生したことを製紙機の管理者に知らせるので、製紙機の管理者は作動エラーの発生を速やかに知り得て、製紙機の運転を速やかに再開することができる。また、蓄積した稼働状況の情報を利用者が希望する形態で知らせることができる。暗号化により、データ傍受やなりすましによるデータの漏出を防止できる。
【図面の簡単な説明】
【００１６】
【図１】本発明の実施の形態における製紙システムを示すブロック図
【図２】同実施の形態おける製紙機を示すブロック図
【図３】同実施の制御部を示すブロック図
【図４】同実施の形態における表示データ例の基本情報を示す模式図
【図５】同実施の形態における表示データ例の履歴情報を示す模式図
【図６】同実施の形態における表示データ例の集計情報を示す模式図
【図７】本発明の他の実施の形態おける製紙機を示すブロック図
【発明を実施するための形態】
【００１７】
以下、本発明の実施の形態を図面に基づいて説明する。
【００１８】
図２において、本実施の形態における製紙機１は、例えばオフィスなどに設置することが可能な小型の製紙装置である古紙再生処理装置として構成される。製紙機１は、製紙機本体１０の内部に、パルプ液製造部２、脱墨部３、抄紙部４、乾燥部５、仕上げ部６を備え、各部を制御する制御装置１３を有している。
【００１９】
パルプ液製造部２は、パルプ原料を離解してパルプを含むパルプ懸濁液を製造する工程をなす。本実施の形態では、古紙１１をパルプ原料として、パルプ懸濁液を製造する。
【００２０】
脱墨部３は、パルプ液製造部２において製造されたパルプ懸濁液を脱墨する工程をなす。抄紙部４は、脱墨部３から供給される脱墨済みのパルプ懸濁液を抄紙して湿紙を生成する工程をなす。乾燥部５は、抄紙部４で形成された湿紙を乾燥させる工程をなす。仕上げ部６は、乾燥部５で乾燥された乾紙の成形紙に裁断等の仕上げ処理を行って用紙１２を得る工程をなす。
【００２１】
図１において、本実施の形態における製紙システムは、基本の機械的構成が製紙機１と管理サーバ５１と端末５２と各機器間の通信を行う通信網５３からなる。本実施の形態において、通信網５３はインターネット５３１を主な通信手段としており、無線ＬＡＮルーター５３３等を含んでいる。
【００２２】
図３に示すように、製紙機１の制御部１３は、ＣＰＵに設定する機能回路として、以下の機能部を有している。つまり、稼働制御部７１として、パルプ液製造部２の運転を制御するパルプ液製造部制御機能部７１１と、脱墨部３の運転を制御する脱墨部制御機能部７１２と、抄紙部４の運転を制御する抄紙部制御機能部７１３と、乾燥部５の運転を制御する乾燥部制御機能部７１４と、仕上げ部６の運転を制御する仕上げ部制御機能部７１５と、稼動開始から稼動停止までの運転プロセスを逐次実行する自動運転制御機能部７１６と、自動運転制御機能部７１６へ稼動開始の許可指示または不許可指示を入力する運転ロック制御機能部７１７と、調製する再生紙の目標枚数を設定する目標枚数設定機能部７１８と、調製した再生紙の枚数を数えるカウンター機能部７１９を有している。
【００２３】
また、公開鍵受信部７２０と、暗号化・複合化部７２１と、稼働データ送信部７２２と、内部時計７２３を有している。また、制御部１３には表示部７２４が設けられている。表示部７２４は、タッチパネル液晶などにより構成されており、製紙機１の現在の稼働状況やエラー情報等を表示し、また、各種設定や稼働開始、停止の指令を行うことができる。
【００２４】
稼働データ送信部７２２は、製紙機１の稼働状況に基づく稼働データを管理サーバー５１に送信する稼動状況送信手段をなし、本実施の形態では製紙機１と一体的に設けているが、製紙機１とは独立して設けることも可能である。また、稼働状況送信部７２２は、管理サーバー５１に対して、所定の周期で稼働データを送信する。また、稼働状況送信部７２２は、製紙機１の製紙工程における工程移行のタイミングや工程エラー発生のタイミングで稼働データを送信する。
【００２５】
所定周期で送信される稼働データには、製紙機１での用紙出力情報（出力枚数等）や環境情報（温度・湿度等）やログ（各駆動部や各センサの稼働状態）などが含まれる。また、稼働データには、利用者の操作情報も含むことができ、この場合、管理サーバー５１に利用者の操作情報が蓄積されるので、利用者の操作状況を可視化することができる。よって、サーバー管理者（メーカー）やサービスマンは、トラブルの原因を推測するのに役立てることができる。
【００２６】
製紙機１では、管理サーバー５１から公開鍵受信部７２０に公開鍵を受け取った後に、稼働データを暗号化する。なお、公開鍵は、製紙機１ごとに異なり、且つ通信の都度異なる公開鍵が用いられる
管理サーバー５１は、製紙機１の稼働状況を管理するものであり、管理サーバーの作動を制御する制御部５１１と、稼働データ送信部７２２から受信した稼働データを記憶する稼動状況記憶部５１２と、稼動状況記憶部５１２に記憶した稼働データに基づく製紙機関連情報を利用者端末に送信する製紙情報送信手段をなす製紙情報送信部５１３と、公開鍵生成部５１４と、稼働データ受信部５１５と、稼働指令部５１６と、暗号化・複合化部５１７と、正確な時刻生成部５１８と、稼働データ編集部５１９と、操作状況の可視化部５２０と、コマンド受信部５２１を備えている。
【００２７】
管理サーバー５１の制御部５１１は、受信した稼働データに製紙機１の各種のエラー情報が含まれる場合に、製紙情報送信部５１３を制御し、少なくとも受信したエラー情報に対応する製紙関連情報を利用者端末５２７に送信する。また、当該製紙関連情報をメーカー／サービス端末５２８にも送信することができる。
【００２８】
また、制御部５１１は、受信した稼働データに製紙機１の各種エラー情報が含まれない場合も、製紙情報送信部５１３を制御し、製紙機関連情報として環境情報、操作情報、消耗品情報やログ情報を利用者端末５２７やメーカー／サービス端末５２８に送信する。
【００２９】
なお、製紙機１の利用形態によっては、製紙機関連情報の中には利用者にとって不要となり得る情報もある。そのため、利用者にとって不要な情報が存在する場合には、利用者端末５２７に送信する製紙機関連情報を利用者の必要とする情報のみに制限してもよい。
【００３０】
例えば、利用者にとって、環境情報が必要な情報である場合、図１に示される、利用者端末５２７に送信する製紙機関連情報の暗号化データから、操作情報、消耗品情報やログが省かれることとなる。
【００３１】
利用者端末５２７に送信する製紙機関連情報の制限は、製紙機１の利用形態に応じて、サーバー管理者（メーカー）によって予め制限する情報を設定してもよいし、利用者が任意選択して制限する情報を設定するようにしてもよい。
【００３２】
管理サーバー５１は、コマンド受信部５２１が利用者端末５２７からのコマンドを受信し、編集情報生成手段をなす稼働データ編集部５１９が稼働状況記憶部５１２に記憶された稼働データを読出し、読み出した稼働データを所定の形態に編集して編集情報を生成する。
【００３３】
利用者端末からのコマンドには、製紙機１の稼働開始、停止の指令を含むことができる。稼働指令部５１６は利用者端末５２７からのコマンドを製紙機１に送信する。製紙機１から離れた場所からでも利用者の任意のタイミングで稼働停止の指令を行うことにより、製紙機の設置場所に到着したあとに生成された用紙の排出の待ち時間を省略できる。
【００３４】
制御部５１１は、稼働データ編集部５１９に、受信したコマンドに応じた編集情報を生成させ、この編集情報を利用者端末５２７に送信する。すなわち、管理サーバー５１に蓄積された、生成した用紙枚数や稼働時間やエラー件数などの稼働データを集計し、例えば年/月単位でまとめた集計情報を、利用者の希望する形態（表形式、グラフ形式など）で通知できる。また、蓄積された稼働データを集計することなく、単純に現在の稼働状況や履歴として通知することも可能である。
【００３５】
利用者端末５２７には、例えば、図４に示すように、基本情報が表示される。この基本情報には、運転の状況や再生枚数、用紙投入の量などが表示される。また、製紙機１に現在設定している情報が表示される。さらに、図５に示すように、履歴情報が表示される。この履歴情報には、例えば運転情報とエラー情報がある。図５においては、運転情報を表示しており、日時、再生紙の厚み、脱墨コース、乾燥調整、再生枚数等の項目が表示される。また、図６に示すように、集計情報が表示される。集計情報には例えば運転情報とエラー情報がある。集計情報は、集計期間の範囲を限定して表示でき、図６においては、エラー情報を表示しており、エラーコードとともに内容および件数が表示される。
【００３６】
製紙機１は一般的に、定期的にメンテナンスが必要である。また、製紙機１の使用状況によってメンテナンスが必要となるタイミングも異なる。そこで、サーバー管理者やサービスマンは、管理サーバーに蓄積された稼働データを解析することにより、適切にメンテナンス要否の判断（消耗品の補給要否判断を含む）を行うことができ、利用者にメンテナンス情報を通知できる。
【００３７】
すなわち、管理サーバー５１には、製紙機１の稼働データを解析する以下の機能を持たせることも可能である。
【００３８】
１．消耗品（薬剤）の前回補給時からの使用量と、前回補給時から現在までの経過時間とから、消耗品の消費傾向を推測し、この消費傾向において残量を消費する時期、つまり補給時期を予測し、事前に補給時期を連絡をする。
【００３９】
２．一定時間運転させたり、一定期間経過したりすると水に溶けた繊維による汚れや水垢などにより性能が落ちるため、定期的なメンテナンスが必要であり、前回メンテナンスを行ってからの運転時間の合計と日々の運転時間により、メンテナンス時期を予測し、事前にメンテナンス時期を連絡する。
【００４０】
３．製紙機の洗浄において、標準的な洗浄時間に対して、実施の洗浄時間が長くなる傾向にあると、配管や洗浄箇所の汚れがひどくなってきていると予測できるので、メンテナンスが必要である旨の連絡をする。
【００４１】
４．用紙投入量における標準的な再生枚数に対して、実際の再生枚数が多くなる傾向にあると、脱墨性能低下による廃繊維が少なすぎたり、配管目詰まりによる紙厚（湿紙や生成した用紙の厚み）が薄くなったりしている可能性が推測され、トラブルになる前にメンテナンスが必要である旨の連絡をする。
【００４２】
５．操作状況の可視化とエラーの統計により、ヒューマンエラーによるものと推測できることに関しては、利用者に指導することができる。
【００４３】
６．トラブル発生時に、そのトラブル発生前のセンサーや駆動部の動作状態に履歴解析からトラブルの原因を推測する。
【００４４】
なお、利用者への通知は、製紙情報送信部５１３を制御して必要に応じて自動的に製紙関連情報として送信してもよいし、解析結果を受けたサーバー管理者やサービスマンから利用者に通知するようにしてもよい。
【００４５】
製紙機１の暗号化・複合化部５１７は、管理サーバー５１に送信する稼動データを暗号化する。また、管理サーバー５１の暗号化・複合化部５１７は、受信した稼働データを復号化する。また、製紙機１は、管理サーバー５１の正確な時刻生成部５１８から管理サーバー５１の基準時計の時刻を受信することにより内部時計７２３の時刻を補正する。
【００４６】
また、管理サーバー５１の暗号化・複合化部５１７は、製紙機１に送信する基準時計の時刻や稼働指令を暗号化する。また、製紙機１の暗号化・複合化部７２１は、受信した暗号化された基準時計の時刻や稼働指令を複合化する。
【００４７】
本実施の形態では、パルプ懸濁液から抄紙する湿式の古紙再生処理装置を例示して本発明を説明したが、本発明は古紙再生処理装置のみならず、乾式の製紙機にも適用可能である。図７に示すように、乾式の製紙機８１では、例えば、繊維化部８２において、古紙等の原材料を摩砕等の機械的手段により繊維状に解して繊維物を生成する。次に、成形部８３の堆積部８４において、繊維物に結合剤として樹脂材料を混合して混合繊維物を生成し、さらに混合繊維物を所定幅に、かつ所定厚みに堆積させて帯状堆積物を生成する。そして、加熱部８５で帯状堆積物を加熱し、繊維物を結合剤で結合させて成形紙を生成する。次に、仕上げ部８６において成形紙を所定サイズに裁断して用紙に仕上げる。
【００４８】
以上のように、本実施の形態によれば、製紙機１の稼働状況を必要に応じて利用者端末５２７に送信することができ、製紙機１の稼働状況を遠隔監視することができる。また、製紙機１に作動エラーが発生したことを製紙機１の管理者に知らせるので、製紙機１の管理者は作動エラーの発生を速やかに知り得て、製紙機１の運転を速やかに再開することができる。また、蓄積した稼働状況の情報を利用者が希望する形態で知らせることができる。暗号化により、データ傍受やなりすましによるデータの漏出を防止できる。
【００４９】
管理サーバー５１が、稼働データを利用者の希望する形態に集計して編集した編集情報利用者端末５２７に送信するので、利用者端末に集計や編集等の負荷が生じず、端末の性能によらずに、利用者は容易に編集情報を閲覧することができる。
【符号の説明】
【００５０】
１  製紙機
１３  制御装置
５１  管理サーバー
５２  端末
５３  通信網
５２７  利用者端末
【図１】
2019065408.tif 000003
【図２】
2019065408.tif 000004
【図３】
2019065408.tif 000005
【図４】
2019065408.tif 000006
【図５】
2019065408.tif 000007
【図６】
2019065408.tif 000008
【図７】
2019065408.tif 000009